(57)【要約】【課題】  傘が外力を受けるときの傘骨の衝撃を弱め、保護する傘具の傘面回転構造を提供する。【解決手段】  中棒１と、中棒１の最上部に固定されている上ろくろ２と、中棒１に沿って滑動する下ろくろ３と、上ろくろ２と下ろくろ３との間の傘骨４と、傘骨４を覆って設置されている傘面５から構成されている。上ろくろ２は、上ろくろ台受と上ろくろ台受に設置されて動く上ろくろ台から構成されている。下ろくろ３は、下ろくろ台受と、下ろくろ台受に設置されて動く下ろくろ台から構成されている。傘骨４は、上ろくろ台と下ろくろ台上に固定されている。傘面５が中棒１を支軸として自在に回転することによって、強風や物もしくは人にぶつかった時の傘骨４の衝撃を弱め、保護する。【選択図】    図１
0003111259.tif 000002
【実用新案登録請求の範囲】
【請求項１】
中棒と、中棒の最上部に固定されている上ろくろと、中棒に沿って滑動する下ろくろと、上ろくろと下ろくろとの間の傘骨と、傘骨を覆って設置されている傘面から構成されている傘具の傘面回転構造において、
上ろくろは、上ろくろ台受と、上ろくろ台受に設置されて動く上ろくろ台から構成され、
下ろくろは、下ろくろ台受と、下ろくろ台受に設置されて動く下ろくろ台から構成され、
傘骨は、上ろくろ台と下ろくろ台上に固定されていることを特徴とする傘具の傘面回転構造。
【請求項２】
前記上ろくろ台受は、中棒の最上端に固定され、その外壁上には上ろくろ台を固定する凸環が設置され、凸環の上方もしくは下方に掛合槽が設置され、上ろくろ台が上ろくろ台受の凸環と掛合槽との間で回転し、Ｃ型リングが掛合槽に掛合されて上ろくろ台が軸方向に固定され、
下ろくろ台受は、中棒上に設置され、その外壁上に下ろくろ台を定位する凸環が設置され、凸環の上方もしくは下方に掛合槽が設置され、下ろくろ台が下ろくろ台受の凸環と掛合槽との間に掛合され、Ｃ型リングが掛合槽に掛合されて下ろくろ台が軸方向に固定されることを特徴とする請求項１記載の傘具の傘面回転構造。
【請求項３】
前記上ろくろ台受は、中棒の最上端に固定され、その外壁上に上ろくろ台を定位する凸環が設置され、凸環の上方の上ろくろ台受には少なくとも二個の欠切槽が成形され、欠切槽が設置されている上ろくろ台受には掛合台が設置され、掛合台の凸環に対応する方向には外から内に向かう傾斜面が形成され、
下ろくろ台受は中棒上に設置され、その外壁上には下ろくろ台を定位する凸環が設置され、凸環の上方もしくは下方の下ろくろ台受には少なくとも二個の欠切槽が成形され、欠切槽が成形されている下ろくろ台受には掛合台が設置され、掛合台の凸環に対応する方向には外から内に向かう傾斜面が形成されていることを特徴とする請求項１記載の傘具の傘面回転構造。
【請求項４】
前記上ろくろ台受は、下部に傘を閉じた後に傘骨の回転を防止するための凸柱が設置されていることを特徴とする請求項１、２または３記載の傘具の傘面回転構造。
【考案の詳細な説明】
【技術分野】
【０００１】
本考案は、傘具の傘面回転構造に関するもので、傘面が中棒を支軸として自在に回転することによって、強風や物もしくは人にぶつかった時にも傘骨の衝撃を弱め、保護するものである。
【背景技術】
【０００２】
傘具の構造は、一般に、中棒を含み、中棒の最上部に設置されている上ろくろと、中棒軸線に沿って滑動する下ろくろと、上ろくろと下ろくろの傘骨と、傘骨に被せて固定されている傘面から構成されている。傘は開いた状態で使用し、雨や日差しを避ける。
【考案の開示】
【考案が解決しようとする課題】
【０００３】
解決しようとする問題点は、強風を伴う大雨の時には、傘面に当たる抵抗力は相当に大きく、傘面が風に吹かれると、傘骨が捻れ、壊れる。また、人や物に当たっても同じく傘面が捻れ力を受け、傘骨もしくは中棒が破損する点である。
【課題を解決するための手段】
【０００４】
本考案は、中棒と、中棒の最上端に固定されている上ろくろと、中棒にそって滑動する下ろくろと、上ろくろと下ろくろとの間を連接する傘骨と、傘骨を覆う傘面から構成される。そのうち、上ろくろは上ろくろ台受と上ろくろ台受で動く上ろくろ台から構成され、また、下ろくろは下ろくろ台受と下ろくろ台受で動く下ろくろ台から構成されている。傘骨は、上ろくろ台と下ろくろ台上に固定されている。上ろくろ台と下ろくろ台が上ろくろ台受と下ろくろ台受上で回転し、傘骨は上ろくろ台と下ろくろ台で固定されている。そのため、傘が開かれる時、下ろくろ台受は中棒上で固定され、上ろくろ台受は中棒の最上端で固定される。傘が外力を受ける時、傘骨は、上ろくろ台と下ろくろ台が中棒を支点として回転することを最も主要な特徴とする。
【０００５】
本考案の傘具の傘面回転構造は、傘面が中棒を支軸として自在に回転することによって、強風や物もしくは人にぶつかった時の傘骨の衝撃を弱め、保護するという利点がある他、傘面回転時には動画効果も具える。
【考案を実施するための最良の形態】
【０００６】
（実施例１）
図１に示すとおり、本考案の実施例１による傘具の傘面回転構造は、中棒１と、中棒１の最上部に固定されている上ろくろ２と、中棒１の軸線に沿って滑動する下ろくろ３と、上ろくろ２と下ろくろ３を連接する傘骨４と、傘骨４を覆って傘骨４に固定されている傘面５から構成されている。
【０００７】
図２及び図４に示すとおり、上ろくろ２は、上ろくろ台受２１と上ろくろ台受２１上で可動する上ろくろ台２２から構成されている。上ろくろ台受２１は、中棒１の最上端に固定され、その外壁上には上ろくろ台２２を定位させる凸環２１１が設置され、凸環２１１の上方（もしくは下方）には掛合槽２１２が成形されている。上ろくろ台２２の内径は上ろくろ台受２１の外形より大きいため、上ろくろ台２２が上ろくろ台受２１の凸環２１１と掛合槽２１２との間で回転し、Ｃ型リング２３が掛合槽２１２に嵌合された後、上ろくろ台２２が上ろくろ台受２１の上軸方向に固定される。上ろくろ台２２の円周部には受骨４１と連接する連接槽２２１が分布し、傘蓋６は上ろくろ台受２１の最上部に固定され、上ろくろ台受２１の下部は凸柱２１３に設置されている。
【０００８】
図３及び図４に示すとおり、下ろくろ３は、下ろくろ台受３１と下ろくろ台受３１上で可動する下ろくろ台３２から構成されている。下ろくろ台受３１は、中棒１に嵌合し、且つ中棒１に沿って滑動する。更に下ろくろ台受３１には、中棒１内の定位片と合わせる定位孔３１４が設置され、下ろくろ台受３１の外壁には下ろくろ台３２の凸環３１１が設置され、凸環３１１の上方（もしくは下方）には掛合槽３１２が成形されている。下ろくろ台３２の内径は下ろくろ台受３１の外形より大きいため、下ろくろ台３２が下ろくろ台受３１の凸環３１１と掛合槽３１２との間で回転し、Ｃ型リング３３が掛合槽３１２に嵌合された後、下ろくろ台３２が下ろくろ台受３１の軸方向に固定され、同様に下ろくろ台３２の円周部には受骨４２と連接する連接槽３２１が分布する。
【０００９】
図４に示すとおり、傘骨４の受骨４１と受骨４２は、各々上ろくろ台２と下ろくろ台３２の連接槽２２１と連接槽３３１上に固定されている。上ろくろ台２２及び下ろくろ台３２は上ろくろ台受２１及び下ろくろ台受３１上で回転するため、傘面が外力を受ける時、傘骨４に連接された上ろくろ台２２及び下ろくろ台３２は中棒１に対して回転し、傘骨４が受ける力を弱めて、受骨４１と受骨４２を保護する。
【００１０】
（実施例２）
図５に示すとおり、本考案の実施例２による傘具の傘面回転構造は、上ろくろ２の上ろくろ台受２１の外壁上に上ろくろ台２２の凸環２１１が成形され、凸環２１１の上方に少なくとも三個の欠切槽２１４が上ろくろ台受軸向きに設置されている。欠切槽２１４の設置によって、上ろくろ台受に一定の弾性が具わる。また、欠切槽２１４が設置されている上ろくろ台受２１には掛合台２１５が設置されている。掛合台２１５には凸環２１１に相対して内向きに傾斜面２１５１が形成され、それによって、上ろくろ台２２はスムーズに傾斜面２１５１に沿い、上ろくろ台受２１上で掛合される。掛合が深すぎる場合、欠切槽２１４があるために、上ろくろ台受２１は内に収縮し、上ろくろ台２２が完全に上ろくろ台受２１に嵌合された後、上ろくろ台受２１は元に戻り、この時、掛合台２１５は上ろくろ台２２の作用によって、上ろくろ台２２が軸向きに上ろくろ台受２１に固定され、凸環２１１と掛合台２１５との間の間隔は上ろくろ台２２の高さより大きい。
【００１１】
図６に示すとおり、本実施例の下ろくろ３の下ろくろ台受３１外壁に下ろくろ台３２の凸環３１１が設置されている。凸環３１１の上方（もしくは下方）の下ろくろ台受３１には少なくとも三個の欠切槽３１３が軸向きに設置され、欠切槽３１３の設置によって、下ろくろ台受３１は一定の弾性が具わる。欠切槽３１３を設置した下ろくろ台受３１上には更に掛合台３１５が設置されている。掛合台３１５は凸環３１１方向外から内向きに向かって傾斜面３１４１が形成され、それによって、下ろくろ台３２は傾斜面３１４１に沿って下ろくろ台受３１に向かって掛合される。掛合が深すぎる場合、欠切槽３１４があるために、下ろくろ台受３１は内に収縮し、下ろくろ台３２が完全に下ろくろ台受３１に嵌合された後、下ろくろ台受３１は元に戻り、この時、掛合台３１５は下ろくろ台３２の作用によって、下ろくろ台３２が軸向きに下ろくろ台受３１に固定され、凸環３１１と掛合台３１５との間の間隔は下ろくろ台３２の高さより大きい。
【００１２】
本実施例の上ろくろ台２２と下ろくろ３２は、中棒１に対して回転する。このため、傘面に外力がかかる時、傘骨４は上ろくろ台２２と下ろくろ台３２が回転し、傘骨の破損を保護するだけでなく、回転する傘面に図案を描けば、動画効果も具える。
【図面の簡単な説明】
【００１３】
【図１】本考案の実施例１による傘具の傘面回転構造を示す模式図である。
【図２】本考案の実施例１による傘具の傘面回転構造の上ろくろを示す分解斜視図である。
【図３】本考案の実施例１による傘具の傘面回転構造の下ろくろを示す分解斜視図である。
【図４】本考案の実施例１による傘具の傘面回転構造の上ろくとと下ろくろの組立状態を示す斜視図である。
【図５】本考案の実施例２による傘具の傘面回転構造の上ろくろを示す分解斜視図である。
【図６】本考案の実施例２による傘具の傘面回転構造の下ろくろを示す分解斜視図である。
【符号の説明】
【００１４】
１  中棒、２  上ろくろ、３  下ろくろ、４  傘骨、５  傘面、６  傘蓋、２１  上ろくろ台受、２２  上ろくろ台、２３  Ｃ型リング、３１  下ろくろ台受、３２  下ろくろ台、３３  Ｃ型リング、４１  受骨、４２  受骨、２１１  凸環、２１２  掛合槽、２１３  凸柱、２１４  欠切槽、２１５  掛合台、２２１  連接槽、３１１  凸環、３１２  掛合槽、３１３  欠切槽、３１４  定位孔、３１５  掛合台、３２１  連接槽、２１５１  傾斜面、３１４１  傾斜面
【図１】
0003111259.tif 000003
【図２】
0003111259.tif 000004
【図３】
0003111259.tif 000005
【図４】
0003111259.tif 000006
【図５】
0003111259.tif 000007
【図６】
0003111259.tif 000008